(57)【要約】      （修正有）【課題】画像読取手段を備えた画像形成装置全体の小型化を達成しつつ、画像形成装置本体上部の排紙部近傍において紙詰まりした用紙を容易に除去する。【解決手段】画像形成装置本体の上方に配置される画像読取手段４と、前記画像形成装置本体の上方の一側面がわに配設される定着手段から、当該画像形成装置本体の上端面に設けられた排出トレイ上に記録用紙を排出する排出ロール３３へと記録媒体を搬送する記録媒体搬送経路と、前記記録媒体搬送経路の少なくとも上端面がわを覆う第１のカバー部材４１及び前記記録媒体搬送経路の少なくとも一側面がわを覆う第２のカバー部材４２と、前記第１及び第２のカバー部材のうち、少なくとも前記記録媒体搬送経路の上端面がわを覆う第１のカバー部材４１を、前記画像形成装置本体と前記画像読取手段４との間において、前記記録媒体搬送経路が外部に露出するように移動させる移動手段とを備えるように構成した。【選択図】図１
2009229811.tif 000002
【特許請求の範囲】
【請求項１】
画像形成装置本体の上方に配置される画像読取手段と、
前記画像形成装置本体の上方の一側面がわに配設される定着手段から、当該画像形成装置本体の上端面に設けられた排出トレイ上に記録用紙を排出する排出ロールへと記録媒体を搬送する記録媒体搬送経路と、
前記記録媒体搬送経路の少なくとも上端面がわを覆う第１のカバー部材及び前記記録媒体搬送経路の少なくとも一側面がわを覆う第２のカバー部材と、
前記第１及び第２のカバー部材のうち、少なくとも前記記録媒体搬送経路の上端面がわを覆う第１のカバー部材を、前記画像形成装置本体と前記画像読取手段との間において、前記記録媒体搬送経路が外部に露出するように移動させる移動手段とを備えたことを特徴とする画像形成装置。
【請求項２】
前記移動手段は、前記第２のカバー部材を画像形成装置本体の側方に回動させる回動動作に連動して、前記第１のカバー部材を、前記画像形成装置本体と前記画像読取手段との間において、前記用紙搬送経路が外部に露出するように移動させることを特徴とする請求項１に記載の画像形成装置。
【請求項３】
前記移動手段は、前記第１のカバー部材を、前記画像形成装置本体と前記画像読取手段との間において、前記記録媒体搬送経路が外部に露出するように個別に移動させることを特徴とする請求項１に記載の画像形成装置。
【請求項４】
前記第１のカバー部材と第２のカバー部材とは、断面略Ｌ字形状に一体的に形成され、前記移動手段は、前記第１のカバー部材を、前記画像形成装置本体と前記画像読取手段との間において、前記記録媒体搬送経路が外部に露出するように画像形成装置本体の側方にスライドさせた後、前記第１のカバー部材を第２のカバー部材と共に画像形成装置本体の側方の外側に回動させることを特徴とする請求項１に記載の画像形成装置。
【発明の詳細な説明】
【技術分野】
【０００１】
この発明は、画像形成装置に関するものである。
【背景技術】
【０００２】
【特許文献１】特開２０００−１３７３５６号公報
【特許文献２】特開２００５−８２３０７号公報
【０００３】
従来、上記画像形成装置においては、給紙トレイから給紙される記録用紙を用紙搬送経路に沿って搬送し、感光体ドラム上に画像情報に応じて形成されたトナー像を、記録用紙上に転写するとともに、定着器で定着した後、排出ロールによって装置本体の上部に設けられた排出トレイ上に排出するように構成されている。
【０００４】
また、上記画像形成装置としては、装置本体の上方に原稿の画像を読み取るスキャナーを配置し、プリンターとしての機能に加えて、複写機やファクシミリとしての機能を兼ね備えた所謂複合機の需要が増大している。その際、かかる画像形成装置では、スキャナーと画像形成装置本体との間の間隙を狭く設定して、スキャナーを画像形成装置本体の上方に近接して配置することにより、装置全体の小型化を図っている。
【０００５】
ところで、上記画像形成装置では、画像情報に応じたトナー像が転写された記録用紙を定着器によって定着した後、当該記録用紙を装置本体の上端部に設けられた排出ロールによって装置本体の上面に設けられた排出トレイ上に排出する際に、記録用紙の先端が定着器の加熱ロールの表面に当接する剥離爪に引っ掛かったり、記録用紙を定着器から排出ロールへと案内するシュート部材表面の傷や磨耗部などに引っ掛かり、更には吸湿した記録用紙が定着器を通過後にカールしたり、記録用紙の先端が排出ロールに突き当たるなどにより、記録用紙が詰まるジャムが発生する場合がある。
【０００６】
そこで、上記画像形成装置では、定着器から排出ロールへと至る用紙搬送経路において、ジャムが発生した記録用紙を除去するために、定着器の近傍を覆うカバーを装置本体の側方に開閉自在に構成されている。
【０００７】
しかしながら、上記カバーは、その画像形成装置本体の側面の下方に位置する下端部を支点として開閉自在に構成され、当該カバーの開放時には、定着器の上面を覆うカバー部分が円弧状に回動する必要があり、画像形成装置本体の上方に配置されるスキャナーとの間に、定着器の上面を覆うカバー部分が移動する軌跡を上回る間隙を設ける必要があり、スキャナーを含めた画像形成装置全体が大型化するという技術的課題を有している。
【０００８】
また、スキャナーを含めた画像形成装置全体の小型化を図った場合には、画像形成装置本体とスキャナーとの間の間隙が狭くなり、定着器の上面を覆うカバー部分の開放が困難となって、記録用紙のジャム除去性が低下するという技術的課題が生じる。
【０００９】
このような記録用紙のジャム除去に関する技術としては、例えば、特開２０００−１３７３５６号公報や特開２００５−８２３０７号公報等に開示されたものが既に提案されている。
【００１０】
上記特開２０００−１３７３５６号公報に係る画像形成装置は、感光体に形成された静電潜像を現像した像をシートに転写して装置本体の一方の側面に設けられた排出口に排出する画像形成装置において、装置の下方部分に設けられ前記シートを収容する収容手段と、前記収容手段からシートを前記一方の側面側で前記一方の側面側の方向に取り出す取出手段と、前記取出手段で取り出されたシートを装置本体の他方の側面側に搬送する第１の搬送手段と、装置の上方部分に設けられ前記感光体の感光面に対向してシートに画像を形成するために第１の搬送手段の下流端からのシートを前記他方の側面側から前記一方の側面に設けられた排出口に向けて搬送する主搬送手段とを備え、前記取出手段、第１搬送手段及び主搬送手段を含むシートの搬送系で発生したジャムトラブルを解消するためのジャム除去作業用の装置本体の開閉部がその装置本体の正面及び前記一方の側面側に設けられたものである。
【００１１】
また、上記特開２００５−８２３０７号公報に係る紙ジャム解除機構は、給紙カセットから給紙される記録紙を本体の上方向に搬送路を介して排紙トレイへ搬送する縦型搬送手段における紙ジャムを解除するための紙ジャム解除機構であって、
前記搬送路の途中に転写装置及び定着装置が配設され、
前記搬送路の前記定着装置より前記給紙カセット側の下側搬送路と、前記搬送路の前記定着装置から前記排紙トレイ側の上側搬送路と、前記下側搬送路の外側を形成しかつ前記下側搬送路の下部近傍を枢軸として前記本体の外方にて開閉可能に設けられた第１の開閉体と、前記上側搬送路の外側を形成しかつ前記上側搬送路の下部近傍を枢軸として前記本体の外方にて開閉可能に設けられた第２の開閉体とを有するように構成したものである。
【発明の開示】
【発明が解決しようとする課題】
【００１２】
ところで、この発明が解決しようとする課題は、画像読取手段を備えた画像形成装置全体の小型化を達成しつつ、画像形成装置本体上部の排紙部近傍において紙詰まりした用紙を容易に除去することが可能な画像形成装置を提供することにある。
【課題を解決するための手段】
【００１３】
すなわち、請求項１に記載された発明は、画像形成装置本体の上方に配置される画像読取手段と、
前記画像形成装置本体の上方の一側面がわに配設される定着手段から、当該画像形成装置本体の上端面に設けられた排出トレイ上に記録用紙を排出する排出ロールへと記録媒体を搬送する記録媒体搬送経路と、
前記記録媒体搬送経路の少なくとも上端面がわを覆う第１のカバー部材及び前記記録媒体搬送経路の少なくとも一側面がわを覆う第２のカバー部材と、
前記第１及び第２のカバー部材のうち、少なくとも前記記録媒体搬送経路の上端面がわを覆う第１のカバー部材を、前記画像形成装置本体と前記画像読取手段との間において、前記記録媒体搬送経路が外部に露出するように移動させる移動手段とを備えたことを特徴とする画像形成装置である。
【００１４】
また、請求項２に記載された発明は、前記移動手段は、前記第２のカバー部材を画像形成装置本体の側方に回動させる回動動作に連動して、前記第１のカバー部材を、前記画像形成装置本体と前記画像読取手段との間において、前記用紙搬送経路が外部に露出するように移動させることを特徴とする請求項１に記載の画像形成装置である。
【００１５】
さらに、請求項３に記載された発明は、前記移動手段は、前記第１のカバー部材を、前記画像形成装置本体と前記画像読取手段との間において、前記記録媒体搬送経路が外部に露出するように個別に移動させることを特徴とする請求項１に記載の画像形成装置である。
【００１６】
又、請求項４に記載された発明は、前記第１のカバー部材と第２のカバー部材とは、断面略Ｌ字形状に一体的に形成され、前記移動手段は、前記第１のカバー部材を、前記画像形成装置本体と前記画像読取手段との間において、前記記録媒体搬送経路が外部に露出するように画像形成装置本体の側方にスライドさせた後、前記第１のカバー部材を第２のカバー部材と共に画像形成装置本体の側方の外側に回動させることを特徴とする請求項１に記載の画像形成装置である。
【発明の効果】
【００１７】
この発明によれば、画像読取手段を備えた画像形成装置全体の小型化を達成しつつ、画像形成装置本体上部の記録媒体搬送経路において詰まった記録媒体を容易に除去することが可能な画像形成装置を提供することができる。
【発明を実施するための最良の形態】
【００１８】
以下に、この発明の実施の形態について図面を参照して説明する。
【００１９】
実施の形態１
図２はこの発明の実施の形態１に係る画像形成装置としてのモノクロプリンターを示すものである。
【００２０】
図２において、１はモノクロプリンターの本体を示すものであり、このプリンター本体１の上部には、図示しない原稿を一枚ずつ分離した状態で自動的に搬送する自動原稿搬送装置３と、当該自動原稿搬送装置３によって搬送される原稿２の画像を読み取る画像読取装置４が配設されている。この画像読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の画像を所定のドット密度（例えば、１６ドット／ｍｍ）で読み取るように構成されている。
【００２１】
上記モノクロプリンター本体１の内部には、画像読取装置４によって読み取られた原稿２の画像データや、外部のパーソナルコンピュータ、あるいは電話回線やＬＡＮ等の通信回線を介して送られてくる画像データなどに対して所定の画像処理を施す画像処理装置１２と、当該画像処理装置１２によって所定の画像処理が施された画像データに基づいて画像を出力する画像出力部１３とが配設されている。
【００２２】
上記プリンター本体１内の画像出力部１３には、画像処理装置１２によって所定の画像処理が施された画像データに基づいて画像露光を行なう画像露光装置１４が配置されており、この画像露光装置１４では、画像データに応じてレーザー光ＬＢによる画像露光が行なわれる。
【００２３】
上記画像露光装置１４では、図２に示すように、図示しない半導体レーザーからレーザー光ＬＢが画像情報の階調データに応じて出射される。この半導体レーザーから出射されたレーザー光ＬＢは、図示しない回転多面鏡によって偏向走査され、図示しない反射ミラーを介して像担持体としての感光体ドラム１５上に走査露光される。
【００２４】
上記画像露光装置１４によってレーザー光ＬＢが走査露光される感光体ドラム１５としては、例えば、有機系の光導電性物質（ＯＰＣ）を用いた感光体が用いられ、当該感光体ドラム１５は、図示しない駆動手段によって矢印Ａ方向に沿って所定の速度で回転駆動されるようになっている。この感光体ドラム１５の表面は、予め帯電手段としての帯電ロール１６によって所定の電位に帯電された後、画像情報に応じてレーザー光ＬＢが走査露光されることによって静電潜像が形成される。上記感光体ドラム１５上に形成された静電潜像は、現像装置１７の現像剤担持体としての現像ロール１８によって現像され、トナー像となる。
【００２５】
上記感光体ドラム１５上に形成されたトナー像は、当該感光体ドラム１５に接触するように配置された転写ロール１９によって記録媒体としての記録用紙２０上に転写されるとともに、このトナー像が転写された記録用紙２０は、感光体ドラム１５から分離される。上記記録用紙２０は、図２に示すように、プリンター本体１内の下部に配置された給紙カセット２１、又は手差しトレイ２２から、給紙ロール２３又は２４によって１枚ずつ分離されて給紙される。上記給紙カセット２１又は手差しトレイ２２から給紙された記録用紙２０は、搬送ロール２５、２６が配設された用紙搬送路２７を介して、レジストロール２８まで一旦搬送され、感光体ドラム１５上のトナー像と同期をとった状態で当該感光体ドラム１５の転写位置へと搬送される。なお、上記手差しトレイ２２からは、ＯＨＰシートやハガキ等の材質やサイズの異なる記録媒体なども給紙可能となっている。
【００２６】
また、上記感光体ドラム１５上からトナー像が転写された記録用紙２０は、上述したように、感光体ドラム１５の表面から分離された後、定着装置２９へ搬送され、当該定着装置２９の加熱ロール３０及び加圧ロール３１によって熱及び圧力でトナー像が、当該記録用紙２０上に定着された後、排出用の用紙搬送路３２を介して排出ロール３３によってプリンター本体１の上部に設けられた排出トレイ３４上に排出されて、画像形成工程が終了する。その際、上記定着装置２９の加熱ロール３０の表面には、記録用紙２０を剥離する剥離爪３５が配設されているとともに、加熱ロール３０から剥離された記録用紙２０は、用紙ガイド３６によって案内され、排出ロール３３へと搬送される。
【００２７】
なお、トナー像の転写工程が終了した後の感光体ドラム１５の表面は、図２に示すように、クリーニングブレード３７を備えたクリーニング装置３８によって、残留トナーや紙粉等が除去され、次の画像形成工程に備えるようになっている。
【００２８】
ところで、この実施の形態では、画像形成装置本体の上方に配置される画像読取手段と、
前記画像形成装置本体の上端部の一側面近傍に配設される定着手段から、当該画像形成装置本体の上端面に設けられた排出トレイ上に記録用紙を排出する排出ロールへと記録媒体を搬送する記録媒体搬送経路と、
前記記録媒体搬送経路の上端面と一側面をそれぞれ覆う第１及び第２のカバー部材と、
前記第１及び第２のカバー部材のうち、少なくとも前記記録媒体搬送経路の上端面を覆う第１のカバー部材を、前記画像形成装置本体と前記画像読取手段との間の間隙において、前記記録媒体搬送経路が外部に露出するように移動させる移動手段とを備えるように構成されている。
【００２９】
また、この実施の形態では、前記移動手段は、前記第２のカバー部材を画像形成装置本体の側方に回動させる回動動作に連動して、前記第１のカバー部材を、前記画像形成装置本体と前記画像読取手段との間の間隙において、前記用紙搬送経路が外部に露出するように移動させるように構成されている。
【００３０】
すなわち、この実施の形態に係るモノクロプリンターは、図２に示すように、プリンター本体１の上部に画像読取装置４が配設されているが、プリンター全体の小型化を達成するため、プリンター本体１と画像読取装置４との間隙Ｇは小さく設定されている。なお、画像読取装置４は、図示しないフレームに載置された状態で支持されている。
【００３１】
この実施の形態では、図２及び図３に示すように、プリンター本体１の一側面（図中、右側面）の上端部に、定着装置２９から排出ロール３３へ至る排出用の用紙搬送経路３２の上面を覆う第１のカバー部材４１を備えているとともに、定着器２８から排出ロール３２へ至る用紙搬送経路３１の側面を覆う第２のカバー部材４２を備えている。
【００３２】
さらに、上記第１のカバー部材４１は、図１に示すように、排出ロール３２の上部からプリンター本体１の側面までを覆う長さに設定された平板状に構成されており、この第１のカバー部材４１は、排出ロール３３側の端部近傍が支点４３を中心にして、反時計周り方向に沿って回動自在に支持されている。なお、用紙ガイド３６は、第１のカバー部材４１に取り付けられており、第１のカバー部材４１とともに開閉自在となっている。
【００３３】
また、上記第２のカバー部材４２は、図１に示すように、定着装置２９の側面からプリンター本体１の上端部までを覆う高さに設定された平板状に構成されており、この第２のカバー部材４２は、プリンター本体１の側面に沿った下端部に設けられた支点４４を中心にして、時計周り方向に沿って回動自在に支持されている。
【００３４】
さらに、上記第１カバー部材４１のプリンター本体１の側面寄りには、第１のリンク４５の一端４５ａが、第１カバー部材４１の内面に設けられた支点４６を中心にして回動自在に取り付けられているとともに、当該第１のリンク４５の他端４５ｂには、連結ピン４８が取り付けられている。この連結ピン４８は、プリンター本体１の手前側又は奥側の少なくとも一方のフレームに、水平方向に沿って設けられたスライド用の長孔４７にスライド自在に係合されている。
【００３５】
また、上記第２カバー部材４２の下端部には、当該第２のカバー部材４２と直交するようにプリンター本体１の内側に向けてアーム部材４９が一体的に突設されており、当該アーム部材４９の先端部には、第２のリンク５０の一端５０ａが支点５１を介して回動自在に取り付けられているとともに、当該第２のリンク５０の他端５０ｂは、上述した連結ピン４８によって、第１のリンク４５と連結されている。
【００３６】
以上の構成において、この実施の形態に係る画像形成装置としてのモノクロプリンターでは、次のようにして、画像読取手段を備えた画像形成装置全体の小型化を達成しつつ、画像形成装置本体上部の排紙部近傍において紙詰まりした用紙を容易に除去することが可能となっている。
【００３７】
すなわち、この実施の形態に係るモノクロプリンターでは、図２に示すように、画像を形成するにあたり、感光体ドラム１５の表面を帯電ロール１６によって所定の電位に帯電した後、当該感光体ドラム１５の表面に画像露光装置１４によって画像データに応じた画像露光を施して静電潜像を形成し、当該静電潜像を現像装置１７によって顕像化してトナー像を形成し、このトナー像を転写ロール１９によって記録用紙上２０に転写する。
【００３８】
その際、上記記録用紙２０は、図２に示すように、給紙トレイ２１又は手差しトレイ２２の何れかから給紙され、レジストロール２８によって感光体ドラム１５の転写位置へと搬送され、感光体ドラム１５上からトナー像が転写された後、定着装置２９へ搬送されて、当該記録用紙２０上に未定着トナー像が定着される。その後、上記記録用紙２０は、排出用の用紙搬送経路３２を介して排出ロール３３へと搬送され、この排出ロール３３によってプリンター本体１の上部に設けられた排出トレイ３４上に排出される。
【００３９】
ところで、上記モノクロプリンターでは、図２に示すように、定着装置２８の加熱ロール３０の表面から記録用紙２０を剥離する剥離爪３５に、記録用紙２０の先端が引っ掛かったり、記録用紙２０を定着装置２９から排出ロール３３へと案内する用紙ガイド３６表面の傷や磨耗部などに引っ掛かったり、更には吸湿した記録用紙２０が定着装置２８を通過後にカールしたり、記録用紙２０の先端が排出ロール３３の表面に突き当たることなどにより、記録用紙２０が排出用の用紙搬送経路３２に詰まる所謂ジャムが発生する場合がある。
【００４０】
そこで、この実施の形態に係るモノクロプリンターでは、上記の如く記録用紙２０の紙詰まり（ジャム）が生じた場合に、図４に示すように、第２のカバー部材４２を図示しない取っ手等を持って時計周り方向に回動することにより、第１のリンク４５及び第２のリンク５０からなるリンク機構を介して第１のカバー部材４１を反時計周り方向に回動させるようになっている。
【００４１】
こうすることによって、排出用の用紙搬送経路３２に詰まった記録用紙２０が外部に露出するため、ユーザーが容易にジャムが発生した記録用紙２０を第１のカバー部材４１と第２のカバー部材４２間の開口部を介して除去することができる。
【００４２】
そのため、この実施の形態に係るモノクロプリンターでは、図２に示すように、プリンター本体１の上部に画像読取装置４を近接させて配置し、画像読取装置４の高さを低くして、モノクロプリンター全体の小型化を図った場合でも、側面の第２のカバー部材４２を開くことにより、同時にプリンター本体１と画像読取装置４との狭い間隙Ｇに位置する第１のカバー部材４１を回動させて開くことができ、定着装置２８及び定着装置２８の排紙部側を外部に露出させることができので、図示しないニップ解除機構などによって、定着装置２８のニップを解除することにより、紙詰まり（ジャム）が発生した記録用紙２０を容易に除去することができ、操作性に優れたものとなっている。
【００４３】
実施の形態２
図５はこの発明の実施の形態２を示すものであり、前記実施の形態１と同一の部分には同一の符号を付して説明すると、この実施の形態２では、前記移動手段は、前記第１のカバー部材を、前記画像形成装置本体と前記画像読取手段との間の間隙において、前記記録媒体搬送経路が外部に露出するように個別に移動させるように構成されている。
【００４４】
すなわち、この実施の形態２では、図５に示すように、第２のカバー部材４２が複合機本体１の側面に沿った下端部に設けられた支点４４を中心にして、時計周り方向に沿って回動自在に支持されているが、この第２のカバー部材４２は、第１のカバー部材４１とリンク機構によって連結されておらず、単独で開閉するように構成されている。
【００４５】
一方、モノクロプリンター本体１と画像読取装置４との狭い間隙Ｇに位置する第１のカバー部材４１は、図５に示すように、第３のリンク６０及び第４のリンク６１を介して、プリンター本体１と画像読取装置４との間の間隙Ｇにおいて略水平方向に沿ってスライド自在となるように構成されている。上記第３のリンク６０の一端６０ａは、プリンター本体１の図示しないフレームに、支点６２を中心にして回動自在に支持されているとともに、その他端６０ｂは、スライド自在な支点６３に連結されている。この支点６３は、第１のカバー部材４１の内面に設けられたスライド用の長孔６４にスライド自在に係合されている。
【００４６】
また、上記第４のリンク６１の一端６１ａは、プリンター本体１の図示しないフレームに、支点６５を中心にして回動自在に支持されているとともに、その他端６１ｂは、第１のカバー部材４１の内面に設けられた支点６６を中心にして回動自在に支持されている。
【００４７】
また、第１のカバー部材４１の先端部と第２のカバー部材４２の上端部は、例えば、マグネット６７と強磁性体等の固定部材６８によって互いに着脱自在に連結されており、図５に示すように、閉じた状態を保持可能となっている。
【００４８】
この実施の形態では、図６に示すように、第２のカバー部材４２を時計回り方向に回動して開いた後に、当該第２のカバー部材４２を開くことによって形成された空間７０を利用して、ユーザーがモノクロプリンター本体１と画像読取装置４との間の間隙Ｇに手を差し込んで、第１のカバー部材４１を持ち上げた状態で奥に回動させることにより、排出用の用紙搬送経路３２を外部に露出させ、当該排出用の用紙搬送経路３２に詰まった記録用紙２０を、第１のカバー部材４１と第２のカバー部材４２間の開口部７０を介して容易に除去することができるようになっている。
【００４９】
その他の構成及び作用は、前記実施の形態１と同様であるので、その説明を省略する。
【００５０】
実施の形態３
図７はこの発明の実施の形態３を示すものであり、前記実施の形態１と同一の部分には同一の符号を付して説明すると、この実施の形態３では、前記第１のカバー部材と第２のカバー部材とは、断面略Ｌ字形状に一体的に形成され、前記移動手段は、前記第１のカバー部材を、前記画像形成装置本体と前記画像読取手段との間の間隙において、前記記録媒体搬送経路が外部に露出するように画像形成装置本体の外側にスライドさせて後、前記第１のカバー部材を第２のカバー部材と共に画像形成装置本体の外側に回動させるように構成されている。
【００５１】
すなわち、この実施の形態３では、図７に示すように、第１のカバー部材４１と第２のカバー部材４２とが、断面略Ｌ字形状に一体的に形成されてカバー部材８０を構成している。また、上記第１のカバー部材４１は、その奥側の立設された短い奥側端部４１ａが、プリンター本体１側に固定した状態で設けれており、第１のカバー部材４１は、その水平板部のみが第２のカバー部材４２と一体的に形成されている。
【００５２】
また、上記カバー部材８０は、図７に示すように、プリンター本体１の側面に沿った下端部に設けられた支点４４を中心にして、時計周り方向に沿って回動自在に支持されている。また、上記支点４４が設けられている第２のカバー部材４２のアーム部４９は、プリンター本体１の奥側に向けて長尺に形成されているとともに、当該アーム部４９の奥側の端部には、スライド用のピン８１が立設されている。さらに、上記スライド用のピン８１と支点４４は、プリンター本体１に設けられた長尺な長孔８２に、水平方向に沿ってスライド自在に係合されている。なお、前記実施の形態では、第２のカバー部材４２のアーム部４９は、第２のカバー部材４２に一体的に設けられていたが、この実施の形態３では、第２のカバー部材４２のアーム部４９は、第２のカバー部材４２と分離されており、プリンター本体１に対して水平方向に沿ってスライド自在となっている。
【００５３】
そして、この実施の形態では、記録用紙２０のジャムが発生した場合には、図８に示すように、第２のカバー部材４２のアーム部４９に設けられたスライド用のピン８１及び支点４４と、プリンター本体１に設けられた長尺な長孔８２を介して、カバー部材８０を水平方向に沿ってプリンター本体１の外側にスライドさせた後、図９に示すように、カバー部材８０を支点を中心にして時計回り方向に沿って回動することにより、排出用の用紙搬送経路３２を外部に露出させ、当該排出用の用紙搬送経路３２に詰まった記録用紙２０を、開口部７０を介して容易に除去することができるようになっている。
【００５４】
その他の構成及び作用は、前記実施の形態１と同様であるので、その説明を省略する。
【図面の簡単な説明】
【００５５】
【図１】図１はこの発明の実施の形態１に係る画像形成装置としてのモノクロプリンターの要部を示す構成図である。
【図２】図２はこの発明の実施の形態１に係る画像形成装置としてのモノクロプリンターを示す全体構成図である。
【図３】図３はこの発明の実施の形態１に係る画像形成装置としてのモノクロプリンターの要部を示す構成図である。
【図４】図４はカバー部材を開いた状態を示す構成図である。
【図５】図５はこの発明の実施の形態２に係る画像形成装置としてのモノクロプリンターの要部を示す構成図である。
【図６】図６はカバー部材を開いた状態を示す構成図である。
【図７】図７はこの発明の実施の形態３に係る画像形成装置としてのモノクロプリンターの要部を示す構成図である。
【図８】図８はカバー部材を開く途中の状態を示す構成図である。
【図９】図９はカバー部材を開いた状態を示す構成図である。
【００５６】
１：プリンター本体。４：画像読取装置、３２：用紙搬送経路、４１：第１のカバー部材、４２：第２のカバー部材。
【図１】
2009229811.tif 000003
【図２】
2009229811.tif 000004
【図３】
2009229811.tif 000005
【図４】
2009229811.tif 000006
【図５】
2009229811.tif 000007
【図６】
2009229811.tif 000008
【図７】
2009229811.tif 000009
【図８】
2009229811.tif 000010
【図９】
2009229811.tif 000011